(57)【要約】【課題】無線伝送路特性の変動状況に応じた利得を設定したい。【解決手段】増幅部１２は、所定の利得によって、受信した信号を増幅する。ＡＧＣ設定部１８は、増幅部１２において増幅した信号のレベルが目標の値に近づくように、増幅部１２での利得を設定する。ＡＧＣ設定部１８は、受信した信号のレベルの変動の程度を推定し、推定した変動の程度が大きくなると小さくなるように目標の値を調節する。また、ＡＧＣ設定部１８は、測定した変動の程度が大きくなるほど、利得の更新を遅くする。【選択図】図１
2009213096.tif 000002
【特許請求の範囲】
【請求項１】
所定の利得によって、受信した信号を増幅する増幅部と、
前記増幅部において増幅した信号のレベルが目標の値に近づくように、前記増幅部での利得を設定する設定部とを備え、
前記設定部は、受信した信号のレベルの変動の程度を推定し、推定した変動の程度に応じて目標の値を調節することを特徴とする自動利得制御装置。
【請求項２】
前記設定部は、推定した変動の程度が大きくなると目標の値を小さくするように調節することを特徴とする請求項１に記載の自動利得制御装置。
【請求項３】
前記設定部は、
前記増幅部において増幅した信号のレベルを測定する第１測定部と、
前記増幅部において増幅した信号の変動の程度を測定する第２測定部と、
前記第２測定部において測定した変動の程度をもとに、目標の値を調節する調節部と、
前記調節部において調節した目標の値と、前記第１測定部において測定した信号のレベルとを比較する比較部と、
前記比較部における比較結果をもとに、利得を更新する更新部と、
を備えることを特徴とする請求項２に記載の自動利得制御装置。
【請求項４】
前記第２測定部の測定精度を測定する第３測定部をさらに備え、
前記調節部は、前記第２測定部において測定した変動の程度が同一であっても、前記第３測定部において測定した測定精度が低くなると目標の値を小さくするように調節することを特徴とする請求項３に記載の自動利得制御装置。
【請求項５】
前記更新部は、前記第２測定部において測定した変動の程度が大きくなるほど、利得の更新を遅くすることを特徴とする請求項３または４に記載の自動利得制御装置。
【発明の詳細な説明】
【技術分野】
【０００１】
本発明は、自動利得制御技術に関し、特に受信した信号を増幅する際の利得を自動的に制御する自動利得制御装置に関する。
【背景技術】
【０００２】
ディジタル変調方式に対応した受信装置には、復調器への入力信号レベルを一定に保つために、自動利得制御装置（ＡＧＣ：Ａｕｔｏｍａｔｉｃ  Ｇａｉｎ  Ｃｏｎｔｒｏｌ）が備えられている。一般的に、自動利得制御装置は、可変利得増幅器あるいは可変減衰器の後段にて、信号レベルを測定し、測定結果をもとに利得あるいは減衰率を設定するようなフィードバック型の構成を有する。ここで、利得あるいは減衰率は、測定結果を一定レベルにするような値に更新される（例えば、特許文献１参照）。
【特許文献１】特開平５−２９１９８６号公報
【発明の開示】
【発明が解決しようとする課題】
【０００３】
送信装置と受信装置との間の無線伝送路特性は、時間的な変動の少ない状態（以下、「静特性」という）のときもあれば、時間的な変動の大きい状態（以下、「動特性」という）のときもある。前述のごとく、自動利得制御装置は、目標となる一定のレベル（以下、「目標値」という）に信号レベルが近づくように利得を制御するが、静特性の場合、一度設定した目標値がある程度の期間にわたって最適値であり続ける。そのため、目標値として、信号レベルがなるべく大きくなるような値が設定される。しかしながら、動特性の場合、一度設定した目標値がすぐに最適値でなくなってしまうことがある。その際、現在の無線伝送路特性に対して目標値が大きすぎれば、信号が飽和状態になってしまい、特性が悪化してしまうこともある。
【０００４】
本発明はこうした状況に鑑みてなされたものであり、その目的は、無線伝送路特性の変動状況に応じた利得を設定する技術を提供することにある。
【課題を解決するための手段】
【０００５】
上記課題を解決するために、本発明のある態様の自動利得制御装置は、所定の利得によって、受信した信号を増幅する増幅部と、増幅部において増幅した信号のレベルが目標の値に近づくように、増幅部での利得を設定する設定部とを備える。設定部は、受信した信号のレベルの変動の程度を推定し、推定した変動の程度に応じて目標の値を調節する。
【０００６】
なお、以上の構成要素の任意の組合せ、本発明の表現を方法、装置、システム、記録媒体、コンピュータプログラムなどの間で変換したものもまた、本発明の態様として有効である。
【発明の効果】
【０００７】
本発明によれば、無線伝送路特性の変動状況に応じた利得を設定できる。
【発明を実施するための最良の形態】
【０００８】
本発明を具体的に説明する前に、まず概要を述べる。本発明の実施例は、ディジタル変調がなされた信号を受信する受信装置に関する。受信装置は、無線周波数の信号を受信し、無線周波数の信号を中間周波数の信号へ周波数変換し、中間周波数の信号を増幅器にて増幅する。また、受信装置は、増幅した信号を直交検波して、ベースバンドの信号を生成する。さらに、受信装置は、ベースバンドの信号に対してアナログ／デジタル変換し、デジタル変換した信号を復調する。ここで、増幅器の増幅率は、ベースバンドの信号がアナログ／デジタル変換のダイナミックレンジにおさまるような値に設定される。このような値が前述の目標値に相当する。前述のごとく、静特性の場合、目標値としてなるべく大きな値が望まれる。一方、静特性の場合、無線伝送路が変動しても、信号が飽和状態とならないような目標値が望まれる。
【０００９】
これに対応するために、本実施例に係る受信装置は、次の処理を実行する。本実施例に係る受信装置は、ベースバンドの信号をもとに、無線伝送路特性の変動の程度、つまりフェージング変動の程度を測定する。受信装置は、フェージング変動が小さくなると、目標値に大きな値を設定し、フェージング変動が大きくなると、目標値に小さな値を設定する。また、受信装置は、設定した目標値を増幅器に設定する。これ以外の処理は、前述の通りである。
【００１０】
図１は、本発明の実施例に係る受信装置１００の構成を示す。受信装置１００は、周波数変換部１０、増幅部１２、直交検波部１４、フィルタ部１６、ＡＧＣ設定部１８、復調部３０、制御部３２を含む。また、ＡＧＣ設定部１８は、フェージング測定部２０、目標値調節部２２、電力測定部２４、比較部２６、利得更新部２８を含む。
【００１１】
図示しない送信装置は、ディジタル変調を実行した後、変調した信号（以下、「変調信号」という）を送信する。ここで、変調信号は、無線周波数の信号である。無線伝送路を介して受信装置１００に到達する。なお、無線伝送路特性は、前述のごとく、静特性になることもあれば、動特性になることもある。周波数変換部１０は、アンテナを介して変調信号を受信する。周波数変換部１０は、変調信号に対して周波数変換を実行することによって、無線周波数の信号を中間周波数の信号へ変換する。周波数変換部１０は、中間周波数の信号を増幅部１２へ出力する。
【００１２】
増幅部１２は、周波数変換部１０から中間周波数の信号を受けつけ、中間周波数の信号を増幅する。増幅の際の利得は、利得更新部２８によって設定される。増幅部１２は、増幅した信号を直交検波部１４へ出力する。直交検波部１４は、増幅部１２から増幅した信号を受けつけ、増幅した信号を直交検波する。以上の処理によって、直交検波部１４は、中間周波数の信号をベースバンドの信号へ変換する。ベースバンドの信号は、同相成分と直交成分とによって形成されているので、ふたつの信号線にて示されるべきである。しかしながらここでは、図面を明瞭にするために、これをひとつの信号にて示す。さらに、直交検波部１４は、ベースバンドの信号に対して、アナログ／デジタル変換を実行することによって、デジタル信号を生成する。直交検波部１４は、デジタル信号をフィルタ部１６へ出力する。
【００１３】
フィルタ部１６は、直交検波部１４からデジタル信号を受けつける。また、フィルタ部１６は、低域通過特性を有している。フィルタ部１６は、デジタル信号に対して低域通過特性を作用させる。以下、説明を明瞭にするために、フィルタ部１６から出力される信号を「受信信号」という。フィルタ部１６は、受信信号を復調部３０、電力測定部２４、フェージング測定部２０へ出力する。復調部３０は、受信信号を復調する。なお、復調は、図示しない送信装置においてなされたディジタル変調に対応しているが、公知の技術でよいので、ここでは説明を省略する。復調部３０は、復調結果を出力する。
【００１４】
電力測定部２４は、フィルタ部１６から受信信号を受けつける。電力測定部２４は、受信信号のレベル、つまり受信電力を測定する。受信電力の測定には公知の技術が使用されればよいので、ここでは説明を省略する。電力測定部２４は、受信電力を比較部２６へ出力する。フェージング測定部２０も、フィルタ部１６から受信信号を受けつける。フェージング測定部２０は、受信信号の変動の程度を測定する。以下では、受信信号の変動の程度を「フェージングの程度」や「フェージング推定値」と呼ぶ。ここで、フェージング測定部２０は、受信信号に含まれた既知信号を予め記憶しており、受信信号から既知信号の成分を除外することによって、伝送路特性を推定する。
【００１５】
また、フェージング測定部２０は、異なった時間での伝送路特性の相関値を計算することによって、フェージング推定値を導出する。ここで、フェージング推定値は、相関値の逆数として規定されている。例えば、フェージング推定値が大きい場合は、前述の動特性に相当するが、そのとき、相関値は小さくなる。一方、フェージング推定値が小さい場合は、前述の静特性に相当するが、そのとき、相関値は大きくなる。なお、フェージング推定値の導出は、以上の方法に限定されず、公知の技術を使用してもよい。フェージング測定部２０は、フェージング推定値を目標値調節部２２および利得更新部２８へ出力する。
【００１６】
目標値調節部２２は、フェージング測定部２０からフェージング推定値を受けつけ、フェージング推定値をもとに、目標値を調節する。なお、目標値調節部２２は、フェージング推定値が大きくなると、目標値が小さくなるような関係が規定されたテーブルを予め記憶する。図２は、ＡＧＣ設定部１８に保持されたテーブルのデータ構造を示す。テーブルは、フェージング推定値欄２００、目標値欄２０２、更新ステップ欄２０４を含む。ここでは、フェージング推定値欄２００、目標値欄２０２を説明する。フェージング推定値に対して、しきい値「α」が予め規定されている。
【００１７】
フェージング推定値欄２００には、フェージング推定値が「α」より小さい場合と、フェージング推定値が「α」以上の場合とが定められている。前者が静特性に相当し、後者が動特性に相当する。また、それぞれに対応した目標値が目標値欄２０２に格納されている。つまり、静特性に対する目標値「β１」と動特性に対する目標値「β２」とが規定されている。ここで、図示のごとく、β２＜β１が成立している。図１に戻る。目標値調節部２２は、フェージング推定値をαと比較することによって、目標値を決定する。目標値調節部２２は、目標値を比較部２６へ出力する。
【００１８】
比較部２６は、目標値調節部２２から目標値を受けつけ、電力測定部２４から受信電力を受けつける。比較部２６は、両者を比較することによって、両者の差異を導出する。例えば、比較部２６は、受信電力から目標値を減算する。なお、比較部２６は、受信電力を目標値にて除算してもよい。比較部２６は、導出した差異を比較結果として利得更新部２８へ出力する。
【００１９】
利得更新部２８は、比較部２６から比較結果を受けつけ、フェージング測定部２０からフェージング推定値を受けつける。利得更新部２８は、比較結果における差異が小さくなるように利得（以下、「最終利得」という）を決定する。例えば、受信電力が目標値よりも小さければ、利得更新部２８は、現在の利得を増加させるように、最終利得を決定する。また、増加の程度は、差異の大きさに応じて決定される。つまり、利得更新部２８は、比較部２６における比較結果をもとに、最終利得を更新する。
【００２０】
また、利得更新部２８は、フェージング推定値に応じて、利得の更新のステップ幅を決定する。例えば、利得更新部２８は、フェージング推定値が大きくなるほど、利得の更新を遅くする。つまり、前述の比較結果に応じて、最終利得が決定され、フェージング推定値に応じて、現在の利得から最終利得までの移行速度が決定される。静特性であれば、利得の更新量が小さいので、早期に最終利得になるように、利得更新部２８は、更新のステップ幅を大きくする。一方、動特性であれば、これと逆に、利得更新部２８は、更新のステップ幅を小さくする。
【００２１】
ここでは、更新のステップ幅を決定するための処理を具体的に説明するために図２を使用する。フェージング推定値欄２００における動特性と静特性のそれぞれに対応した更新ステップ幅が更新ステップ欄２０４に格納されている。つまり、静特性に対する更新ステップ幅「γ１」と動特性に対する更新ステップ幅「γ２」とが規定されている。ここで、図示のごとく、γ２＜γ１が成立している。図１に戻る。利得更新部２８は、フェージング推定値をαと比較することによって、更新ステップ幅を決定する。最終的に、利得更新部２８は、最終利得と更新ステップ幅をもとに、現在の利得を更新する。利得更新部２８は、更新した利得を増幅部１２に設定する。以上をまとめると、ＡＧＣ設定部１８は、受信信号のレベルが目標の値に近づくように、増幅部１２での利得を設定する。制御部３２は、受信装置１００全体のタイミング等を制御する。
【００２２】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２３】
以上の構成による受信装置１００の動作を説明する。図３は、ＡＧＣ設定部１８における利得の更新手順を示すフローチャートである。電力測定部２４は、受信電力を測定する（Ｓ１０）。フェージング測定部２０は、フェージングの程度を推定する（Ｓ１２）。フェージング推定値がαよりも小さければ（Ｓ１４のＹ）、目標値調節部２２は、目標値にβ１を設定する（Ｓ１６）。一方、フェージング推定値がαよりも小さくなければ（Ｓ１４のＮ）、目標値調節部２２は、目標値にβ２を設定する（Ｓ１８）。比較部２６は、受信電力と目標値との差異を導出する（Ｓ２０）。フェージング推定値がαよりも小さければ（Ｓ２２のＹ）、利得更新部２８は、ステップ幅にγ１を設定する（Ｓ２４）。一方、フェージング推定値がαよりも小さくなければ（Ｓ２２のＮ）、利得更新部２８は、ステップ幅にγ２を設定する（Ｓ２６）。利得更新部２８は、ステップ幅を使用しながら、差異をもとに利得を更新する（Ｓ２８）。
【００２４】
以下、本発明の変形例を説明する。実施例においては、ひとつのアンテナが受信装置１００に備えられている。一方、変形例においては、複数のアンテナが受信装置１００に備えられている。そのため、前述の受信電力やフェージング推定値は、アンテナ数だけ導出される。一方、受信装置１００がアダプティブアレイ信号処理を実行する場合、受信信号間の相対的な電力差を維持することが望ましい。そのため、受信電力やフェージング推定値が複数導出される場合であっても、ひとつの利得が設定されるべきである。これに対応するために、変形例に係る受信装置１００は、以下に説明する処理を実行する。
【００２５】
変形例に係る受信装置１００は、受信装置１００と比較して、複数のアンテナを有しており、各アンテナに対して、増幅部１２、直交検波部１４、フィルタ部１６を備える。また、復調部３０は、複数のフィルタ部１６のそれぞれから受信信号を受けつける。復調部３０は、複数の受信信号をもとにアダプティブアレイ信号処理やダイバーシチ処理を実行した後に、復調処理を実行する。これらの処理には公知の技術が使用されればよいので、ここでは説明を省略する。また、ＡＧＣ設定部１８も、複数のフィルタ部１６のそれぞれから受信信号を受けつける。ＡＧＣ設定部１８は、複数の受信信号をもとに、ひとつの利得を導出する。さらに、ＡＧＣ設定部１８は、ひとつの利得を複数の増幅部１２に設定する。
【００２６】
図４は、本発明の変形例に係るＡＧＣ設定部１８の構成を示す。ＡＧＣ設定部１８は、フェージング測定部２０と総称される第１フェージング測定部２０ａ、第２フェージング測定部２０ｂ、第Ｎフェージング測定部２０ｎ、目標値調節部２２、電力測定部２４と総称される第１電力測定部２４ａ、第２電力測定部２４ｂ、第Ｎ電力測定部２４ｎ、電力選択部５０、推定値選択部５２、比較部２６、利得更新部２８を含む。
【００２７】
電力測定部２４は、各アンテナに対応するように備えられており、受信信号を受けつけて、受信電力を測定する。電力選択部５０は、複数の受信電力を比較することによって、最大値を選択する。電力選択部５０は、選択した受信電力を比較部２６へ出力する。また、電力選択部５０は、選択した受信電力に対応した電力測定部２４の番号を推定値選択部５２へ出力する。例えば、選択した受信電力が「第３電力測定部２４ｃ」から出力されていれば、電力選択部５０は、「３」を推定値選択部５２へ出力する。
【００２８】
フェージング測定部２０は、各アンテナに対応するように備えられており、受信信号を受けつけて、フェージング推定値を導出する。推定値選択部５２は、電力選択部５０から受けつけた番号をもとに、複数のフェージング推定値のうちのひとつを選択する。推定値選択部５２は、選択したフェージング推定値を目標値調節部２２および利得更新部２８へ出力する。例えば、電力選択部５０から受けつけた番号が「３」であれば、推定値選択部５２は、「第３フェージング測定部２０ｃ」からのフェージング推定値を選択する。目標値調節部２２、比較部２６、利得更新部２８の処理は、実施例と同様であるので、ここでは説明を省略する。
【００２９】
本発明の実施例によれば、フェージング推定値に応じて利得を決定するので、無線伝送路特性の変動状況に応じた利得を設定できる。また、フェージング推定値が大きくなると目標値を小さくするので、動特性の場合でも、信号が飽和状態になる可能性を低減できる。また、信号が飽和状態になりにくくなるので、受信品質の悪化を抑制できる。また、フェージング推定値が小さくなると目標値を大きくするので、静特性の場合に、受信電力を大きくできる。また、受信電力を大きくできるので、受信品質の悪化を抑制できる。また、フェージング推定値に応じて目標値を変更するだけなので、簡易な処理を実現できる。
【００３０】
また、フェージング推定値が小さくなるほど、目標値を速く更新するので、直ちに最適な目標値を実現できる。また、フェージング推定値が大きくなるほど、目標値の更新を遅くするので、目標値の変動を抑制できる。また、目標値の変動が抑制されるので、処理の安定性を向上できる。また、複数のアンテナが備えられている場合に、最大の受信電力およびそれに対応したフェージング推定値を選択するので、信頼性の高い値をもとに利得を決定できる。また、信頼性の高い値を使用するので、利得の精度を向上できる。
【００３１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３２】
本発明の実施例において、目標値調節部２２は、フェージング推定値をもとに目標値を決定している。しかしながらこれに限らず例えば、目標値調節部２２は、目標値を設定する際に、フェージング推定値以外のパラメータを反映させてもよい。目標値調節部２２は、電力測定部２４から受信電力を受けつけ、受信電力をもとに、フェージング推定値の測定精度を決定する。例えば、フェージング測定部２０は、受信電力が大きくなるほど、測定精度を高くする。フェージング測定部２０は、フェージング推定値とともに、測定精度を目標値調節部２２へ出力する。
【００３３】
目標値調節部２２は、フェージング推定値をもとに仮の目標値を決定する。さらに、目標値調節部２２は、測定精度に応じて仮の目標値を調節することによって、最終的な目標値を決定する。例えば、目標値調節部２２は、測定精度が低くなるほど、目標値を小さくする。つまり、目標値調節部２２は、フェージング推定値が同一であっても、測定精度が低くなると小さくなるように目標値を調節する。本変形例によれば、測定精度が低く、フェージング推定値の信頼性が低い場合に、信号が飽和状態になる可能性を低減できる。
【００３４】
本発明の変形例において、ＡＧＣ設定部１８は、フェージング推定値をもとに、動特性と静特性というふたつの状態のいずれかを特定している。しかしながらこれに限らず例えば、ＡＧＣ設定部１８には、３つ以上の状態が規定されており、それぞれに対応した目標値が規定されていてもよい。また、フェージング推定値と目標値との関係が実施例と異なっていてもよい。本変形例によれば、目標値の設定を細かくできる。
【００３５】
本発明の実施例において、推定値選択部５２は、電力選択部５０から受けつけた番号に対応したフェージング推定値を選択する。しかしながらこれに限らず例えば、推定値選択部５２は、複数のフェージング推定値のうち、最大値を選択してもよい。本変形例によれば、信号が飽和状態になる可能性を低減できる。
【００３６】
本発明の実施例において、受信装置１００は、増幅部１２の出力がＡＧＣ設定部１８に入力され、ＡＧＣ設定部１８の出力が増幅部１２に入力されている。つまり、受信装置１００は、フィードバック型の構成を有している。しかしながらこれに限らず例えば、受信装置１００は、フィードフォワード型の構成を有してもよい。その場合、周波数変換部１０からの出力信号がＡＧＣ設定部１８に入力され、ＡＧＣ設定部１８からの出力、つまり利得が増幅部１２に入力される。本変形例によれば、さまざまな形態に本発明を適用できる。
【図面の簡単な説明】
【００３７】
【図１】本発明の実施例に係る受信装置の構成を示す図である。
【図２】図１のＡＧＣ設定部に保持されたテーブルのデータ構造を示す図である。
【図３】図１のＡＧＣ設定部における利得の更新手順を示すフローチャートである。
【図４】本発明の変形例に係るＡＧＣ設定部の構成を示す図である。
【符号の説明】
【００３８】
１０  周波数変換部、  １２  増幅部、  １４  直交検波部、  １６  フィルタ部、  １８  ＡＧＣ設定部、  ２０  フェージング測定部、  ２２  目標値調節部、  ２４  電力測定部、  ２６  比較部、  ２８  利得更新部、  ３０  復調部、  ３２  制御部、  ５０  電力選択部、  ５２  推定値選択部、  １００  受信装置。
【図１】
2009213096.tif 000003
【図２】
2009213096.tif 000004
【図３】
2009213096.tif 000005
【図４】
2009213096.tif 000006